(57)【要約】【課題】  コストを抑えつつバリアフリー化を可能にし、且つ、美観の向上と異物落下の防止を図れる構造を実現する。【解決手段】  下枠４として上面に下部案内レール１４ａ、１４ｂを備えたものを使用する事で、戸車１６ａ、１６ｂとして、広く使用されている低価格品を使用可能にする。又、上記下部案内レール１４ａ、１４ｂの上端縁を、上記下枠４の上面のうちで人や物が移動する部分よりも下方に位置させる事で、バリアフリー化を可能にする。上記各下部案内レール１４ａ、１４ｂを設置した凹部１５ａ、１５ｂの上端開口で、ガラス障子２ａ、２ｂにより覆われない部分をカバー帯２５ａ、２５ｄにより覆う事で、美観の向上と異物の落下防止とを図る。【選択図】  図４
2005113556.tif 000002
【特許請求の範囲】
【請求項１】
下辺を構成する下框に複数の戸車を、横軸を中心とする回転自在に支持した引戸障子と、これら各戸車の外周面に全周に亙って形成した凹溝と係合する事でこの引戸障子の水平移動を案内する下部案内レールをその上面に形成した下枠を含む窓枠とを備えた引戸装置に於いて、この下部案内レールは、この下枠の上面に上記引戸障子の移動方向に亙って存在する凹部の底面から上方に突出した状態で設けられ、その上端縁がこの下枠の上面のうちでこの凹部の両側に存在する部分よりも上方には突出しないものであり、上記引戸障子の縦辺の下端部と上記窓枠を構成する部材の一部との間、若しくは、１対の引戸障子の縦辺の下端部同士の間に設けたカバー帯をこの引戸障子の移動に伴って移動させる事により、上記凹部の上端開口部で上記引戸障子により覆われていない部分を覆う様に構成した引戸装置。
【請求項２】
カバー帯が、引戸障子の水平移動に伴って互いに遠近動する、この引戸障子の縦辺を構成する竪框の下端部と窓枠の端部との間で、凹部の上端開口を覆う、請求項１に記載した引戸装置。
【請求項３】
カバー帯が、可撓性及び押し付け力により移動可能な程度の剛性を有する弾性材製であり、このカバー帯の一端が下枠の端部上面に固定され、他端が引戸障子の縦辺を構成する竪框の下端部からこの竪框内に挿入されており、この引戸障子の移動に伴って上記カバー帯の一端と上記竪框の下端部とが互いに近づき合う際に、このカバー帯の中間部が上記竪框の内部空間内に入り込む、請求項２に記載した引戸装置。
【請求項４】
カバー帯が、可撓性及び押し付け力により移動可能な程度の剛性を有する弾性材製であり、このカバー帯の一端が引戸障子の縦辺を構成する竪框の下端部に結合されると共に、このカバー帯の中間部が、互いに直角に結合された下枠と縦枠との連続部に固定されたガイド部材の内部に設けられたガイド通路に案内されて、移動方向を水平方向から垂直方向に９０度変更されており、垂直方向に移動する上記カバー帯の一部は、上記縦枠内に存在する、請求項２に記載した引戸装置。
【請求項５】
下部案内レールの上端縁が下枠の上面のうちで凹部の両側に存在する部分よりも下方に位置し、この凹部を仕切る１対の内側面の上端部開口寄り部分に、カバー帯の両端縁を係合させてこのカバー帯を案内する１対のガイド溝が設けられている、請求項４に記載した引戸装置。
【請求項６】
カバー帯が、水平移動に伴って互いに遠近動する１対の引戸障子の、互いに対向する縦辺を構成する１対の竪框の下端部同士の間で、凹部の上端開口を覆う、請求項１に記載した引戸装置。
【請求項７】
カバー帯が、可撓性及び押し付け力により移動可能な程度の剛性を有する弾性材製であり、このカバー帯の一端が一方の竪框の下端部に、他端が他方の竪框の下端部に、それぞれ結合されており、１対の引戸障子の移動に伴って上記カバー帯の両端部同士が互いに近づき合う際に、このカバー帯の中間部が、撓みつつ上記一方の竪框の内部空間内に入り込む、請求項６に記載した引戸装置。
【請求項８】
カバー帯が金属板製であり、１対のガイド溝が、１対の内側面の上端部開口寄り部分に係止された合成樹脂製のガイド部材に設けられている、請求項５に記載した引戸装置。
【請求項９】
カバー帯が、可撓性及び押し付け力により移動可能な程度の剛性を有する弾性材製であり、このカバー帯の一端が一方の竪框の下端部に結合されると共に、このカバー帯の中間部が、他方の竪框に固定されたガイド部材の内部に設けられたガイド通路に案内されて移動方向を水平方向から垂直方向に９０度変更されており、垂直方向に移動する上記カバー帯の一部は、上記他方の竪框内に存在する、請求項６に記載した引戸装置。
【発明の詳細な説明】
【技術分野】
【０００１】
この発明は、バリアフリーサッシと呼ばれる、下枠の上面を平坦にした窓枠に引戸障子を建て込んで成る引戸装置の改良に関する。
【背景技術】
【０００２】
高齢者や身体障害者の移動の容易性を確保する為に、バリアフリーサッシと呼ばれる、下枠の上面を平坦にした窓枠の構造が、例えば特許文献１〜４に記載される等により、従来から各種知られている。これら各特許文献に記載された構造は、何れも、引戸障子の下框に設置した戸車の外周面が単なる円筒面で、上記下枠の上面でこの戸車の外周面が転がり接触する部分が平坦面となっている。
【０００３】
この様な従来構造の場合、戸車として、従来一般的に使用されていたものとは異なる、特殊なものを使用する為、今後広く普及しない限り、コストが嵩む可能性がある。特に現状では、故障した戸車を修理・交換する際に、戸車の取り寄せに要する手間やコストが、一般的な、外周面に全周に亙って凹溝を形成したものに比べて嵩む可能性がある。又、戸車と下枠との係合部で、引戸障子の屋内外方向に関する位置決めを図れない為、別途この引戸障子の屋内外方向に関する位置決めを図る為の構造が必要になる。
【０００４】
この様な事情を考慮した場合、下枠として上面に下部案内レールを備えたものを使用すると共に、この下部案内レールの上端縁を、この下枠の上面のうちで人や物が移動する部分よりも下方に位置させる構造を採用する事が有利である。この場合、下枠の上面に凹部を、引戸障子の移動方向に亙って設け、上記下部案内レールを、この凹部の底面から上方に突出する状態で設ける。従って上記下枠の上面には、この凹部の開口部が存在し、この開口部の中央部に上記下部案内レールの上端縁が存在する状態となる。
【０００５】
上記凹部及び下部案内レールは、上記下枠の全長に亙って設けるのに対し、上記引戸障子の長さ（幅）はこの下枠の全長よりも短い。この為、上記凹部の開口部及び下部案内レールの上端縁の長さ方向の一部は、上記引戸障子により覆われる事なく露出する。この為、当該部分の体裁が悪くなるだけでなく、異物が上記凹部内に落下した場合に、この異物を取り出しにくくなる。即ち、上記凹部の開口部のほぼ中間部に上記下部案内レールの上端縁が存在する為、この開口部は幅方向に２分割されて狭くなる。この結果、上記凹部内にピン等の異物が落下した場合に、この異物を取り出しにくくなる。
【０００６】
特許文献５には、昇降式のシャッタの両側縁部を案内する為の昇降案内溝の一部でシャッタパネルを巻き上げた場合にこのシャッタパネルの下方に露出する部分を、帯状封止材により覆う構造が記載されている。但し、この様な特許文献５に記載された構造は、鉛直方向に存在する溝の開口部を覆う事のみを意図していて、引戸装置の下枠の上面に存在する溝部の上端開口を覆う事を意図しているものではない。又、帯状封止材を巻き取り機構により巻き取る等、構造が複雑で、設置スペースが限られた引戸装置に適用する事は難しい。
【０００７】
【特許文献１】実公昭５５−１９８１４号公報
【特許文献２】特開２０００−９６９３４号公報
【特許文献３】特許第３２３３９２０号公報
【特許文献４】特許第３２３３９２１号公報
【特許文献５】特開平５−３４０１７３号公報
【発明の開示】
【発明が解決しようとする課題】
【０００８】
本発明は、上述の様な事情に鑑みて、下枠として上面に下部案内レールを備えたものを使用すると共に、この下部案内レールの上端縁を、この下枠の上面のうちで人や物が移動する部分よりも下方に位置させた構造で、下枠上面の体裁を良好にし、且つ、凹部内への異物の落下を防止できる構造を実現すべく発明したものである。
【課題を解決するための手段】
【０００９】
本発明の引戸装置は、従来から一般的に実施されている引戸装置と同様に、下辺を構成する下框に複数の戸車を、横軸を中心とする回転自在に支持した引戸障子と、これら各戸車の外周面に全周に亙って形成した凹溝と係合する事でこの引戸障子の水平移動を案内する下部案内レールをその上面に形成した下枠を含む窓枠とを備える。
特に、本発明の引戸装置に於いては、上記下部案内レールは、上記下枠の上面に上記引戸障子の移動方向に亙って存在する凹部の底面から上方に突出した状態で設けられており、その上端縁がこの下枠の上面のうちでこの凹部の両側に存在する部分よりも上方には突出しない。
更に、上記引戸障子の縦辺の下端部と上記窓枠を構成する部材の一部との間、若しくは、１対の引戸障子の縦辺の下端部同士の間に設けたカバー帯をこの引戸障子の移動に伴って移動させる事により、上記凹部の上端開口部で上記引戸障子により覆われていない部分を覆う様に構成している。
【発明の効果】
【００１０】
上述の様に構成する本発明の引戸装置の場合、下枠として上面に下部案内レールを備えたものを使用する為、引戸障子の下框に設ける戸車として、外周面に全周に亙って凹溝を形成したものを使用できる。この為、戸車自体のコストを低く抑えられる他、戸車と下部案内レールとの係合部で、引戸障子の屋内外方向に関する位置決めを図れる。従って、別途この引戸障子の屋内外方向に関する位置決めを図る為の構造を設ける必要がなく、この面からもコスト低減を図れる。
又、上記下部案内レールの上端縁を、この下枠の上面のうちで人や物が移動する部分よりも下方に位置させているので、下枠の上面を実質的に平坦にして、この人や物の移動を容易に行なえる様にできる。
更に、上記下部案内レールの上端縁を上方に突出させない様にする為、上記下枠の上面に設けた凹部の上端開口部で上記引戸障子により覆われていない部分をカバー帯により覆う為、上記下枠上面の体裁を良好にし、且つ、凹部内への異物の落下を防止できる。
【発明を実施するための最良の形態】
【００１１】
本発明を実施する場合に例えば、請求項２に記載した様に、カバー帯により、引戸障子の水平移動に伴って互いに遠近動する、この引戸障子の縦辺を構成する竪框の下端部と窓枠の下端部との間で、凹部の上端開口を覆う。尚、この場合の縦枠には、一般的な縦枠の他、窓枠の中間部に鉛直方向に設ける方立も含む。
この場合に好ましくは、請求項３に記載した様に、上記カバー帯を、可撓性及び押し付け力により移動可能な程度の剛性を有する弾性材製とする。又、上記カバー帯の一端を下枠の端部上面に固定すると共に、他端を引戸障子の縦辺を構成する竪框の下端部からこの竪框内に挿入する。そして、この引戸障子の移動に伴って上記カバー帯の一端と上記竪框の下端部とが互いに近づき合う際に、このカバー帯の中間部を、上記竪框の内部空間内に入り込ませる。この場合、このカバー帯の他端を上記竪框の下端部に固定して、このカバー帯の中間部を、撓ませつつ上記内部空間内に入り込ませるか、このカバー帯の他端を自由端として、このカバー帯の中間部乃至他端部を直線状態のまま、上記内部空間内に入り込ませる。
この様に構成すれば、下枠の上面に露出する凹部の上端開口のうち、竪框と縦枠との間部分を、上記引戸障子の移動に関係なく、効果的に覆える。
【００１２】
或は、請求項４に記載した様に、カバー帯を、可撓性及び押し付け力により移動可能な程度の剛性を有する弾性材製とする。又、このカバー帯の一端を、引戸障子の縦辺を構成する竪框の下端部に結合すると共に、このカバー帯の中間部を、互いに直角に結合された下枠と縦枠との連続部に固定されたガイド部材の内部に設けられたガイド通路により案内して、移動方向を水平方向から垂直方向に９０度変更する。そして、垂直方向に移動する上記カバー帯の一部を、上記縦枠内に存在させる。
この様に構成しても、下枠の上面に露出する凹部の上端開口のうち、竪框と縦枠との間部分を、上記引戸障子の移動に関係なく、効果的に覆える。
【００１３】
上述の様な請求項４に記載した発明を実施する場合に好ましくは、請求項５に記載した様に、下部案内レールの上端縁を下枠の上面のうちでこの凹部の両側に存在する部分よりも下方に位置させる。そして、凹部を仕切る１対の内側面の上端部開口寄り部分に、カバー帯の両端縁を係合させてこのカバー帯を案内する１対のガイド溝を設ける。
この様に構成すれば、上記カバー帯の両端縁が上記凹部の開口縁部から浮き上がる事を確実に防止できる。この結果、この凹部内に細かい異物が入り込んだり、上記カバー帯に何らかの物が引っ掛かる事を有効に防止できる。
【００１４】
又、本発明を実施する場合に例えば、請求項６に記載した様に、カバー帯により、水平移動に伴って互いに遠近動する１対の引戸障子の、互いに対向する縦辺を構成する１対の竪框の下端部同士の間で、凹部の上端開口を覆う。
この場合に好ましくは、請求項７に記載した様に、上記カバー帯を、可撓性及び押し付け力により移動可能な程度の剛性を有する弾性材製とする。又、このカバー帯の一端を一方の竪框の下端部に、他端を他方の竪框の下端部に、それぞれ結合する。そして、上記１対の引戸障子の移動に伴って上記カバー帯の両端部同士が互いに近づき合う際に、このカバー帯の中間部を、撓ませつつ上記一方の竪框の内部空間内に入り込ませる。
この様に構成すれば、下枠の上面に露出する凹部の上端開口のうち、１対の竪框同士の間部分を、上記各引戸障子の相対移動に関係なく、効果的に覆える。
【００１５】
又、上記請求項５に記載した発明を実施する場合に好ましくは、請求項８に記載した様に、カバー帯を金属板製とし、１対のガイド溝を、１対の内側面の上端部開口寄り部分に係止された合成樹脂製のガイド部材に設ける。
この様に構成すれば、上記カバー帯に十分な強度及び剛性を持たせ、且つ、このカバー帯と、アルミニウム合金の押し出し型材製の下枠との擦れ合い部で、耳障りな音が発生する事を防止できる。
【００１６】
又、請求項６に記載した発明を実施する場合に、例えば、請求項９に記載した様に、カバー帯を、可撓性及び押し付け力により移動可能な程度の剛性を有する弾性材製とする。そして、このカバー帯の一端を一方の竪框の下端部に結合すると共に、このカバー帯の中間部を、他方の竪框に固定されたガイド部材の内部に設けられたガイド通路により案内して移動方向を水平方向から垂直方向に９０度変更する。そして、垂直方向に移動する上記カバー帯の一部を、上記他方の竪框内に存在させる。
この様に構成しても、下枠の上面に露出する凹部の上端開口のうち、１対の竪框同士の間部分を、前記１対の引戸障子の相対移動に関係なく、効果的に覆える。
【実施例１】
【００１７】
図１〜１０は、請求項１、２、３に対応する、本発明の実施例１を示している。本実施例は、本発明を、掃き出し窓として一般的な、引違戸に適用した場合に就いて示している。この為に本実施例の場合には、窓枠１の内側に、それぞれが特許請求の範囲に記載した引戸障子である１対のガラス障子２ａ、２ｂを、引き違い式に建て込んでいる。このうちの窓枠１は、上辺を構成する上枠３と、下辺を構成する下枠４と、左右の縦辺を構成する竪枠５ａ、５ｂとにより、矩形に構成している。これら各枠３、４、５ａ、５ｂは、それぞれアルミニウム合金の一体押し出し成形材製である。又、上記各ガラス障子２ａ、２ｂは、それぞれの上辺を構成する上框６ａ、６ｂと、同じく下辺を構成する下框７ａ、７ｂと、左右の縦辺を構成する竪框である、召し合わせ框８ａ、８ｂ及び突き合わせ框９ａ、９ｂとにより、ガラスパネル１０ａ、１０ｂの四辺を囲んで成る。これら各框６ａ、６ｂ、７ａ、７ｂ、８ａ、８ｂ、９ａ、９ｂも、アルミニウム合金の一体押し出し成形材製である。このうちの召し合わせ框８ａ、８ｂは、上記掃き出し窓の閉鎖時に上記窓枠１の中央に位置して、屋内外方向に亙り互いに対向する。これに対して上記各突き合わせ框９ａ、９ｂは、上記掃き出し窓の閉鎖時に上記窓枠１の端部に位置して、上記各縦枠５ａ、５ｂに突き合わされる。
【００１８】
上記各ガラス障子２ａ、２ｂは上記窓枠１の内側に、一般的に知られている引違戸と同様の構造により、水平移動自在に建て込まれている。この為に、上記上枠３の下面に１対の上部案内レール１１ａ、１１ｂを、屋内外方向に離隔した状態で設けている。そして、上記各召し合わせ框８ａ、８ｂ及び突き合わせ框９ａ、９ｂの上端部に支持したガイドブロック１２ａ、１２ｂに形成したガイド溝１３ａ、１３ｂに上記各上部案内レール１１ａ、１１ｂを係合させている。この構成により、上記各ガラス障子２ａ、２ｂの上端部を上記上枠３に沿う平行移動自在に支持している。
【００１９】
これに対して、上記下枠４に１対の下部案内レール１４ａ、１４ｂを、屋内外方向に離隔した状態で設けている。但し、本実施例の場合、一般的な引違戸を構成する下枠とは異なり、上記各下部案内レール１４ａ、１４ｂを、上記下枠４の上面にこの下枠４の全長に亙って設けた１対の凹部１５ａ、１５ｂの底面から、上方に突出した状態で設けられている。又、上記各下部案内レール１４ａ、１４ｂの高さ寸法は上記各凹部１５ａ、１５ｂの深さ寸法よりも小さくして、これら各下部案内レール１４ａ、１４ｂの上端縁が、上記下枠４の上面のうちで上記各凹部１５ａ、１５ｂの両側に存在する部分よりも下方に位置する様にしている。この構成により、上記各下部案内レール１４ａ、１４ｂの存在に拘らず、上記下枠４の上面を幅の狭い上記各凹部１５ａ、１５ｂの上端開口部を除き、実質的に平坦にして、高齢者や障害者、更には車椅子等の移動を容易に行なえる様にしている。
【００２０】
この様な構成を有する上記下枠４に沿う移動を可能にする為に、上記各ガラス障子２ａ、２ｂの下辺を構成する前記下框７ａ、７ｂの両端部近傍部分に戸車１６ａ、１６ｂを、屋内外方向に設けられた横軸を中心とする回転自在に支持している。これら各戸車１６ａ、１６ｂは、従来から一般的な引違戸に使用されていた戸車と同様のもので、外周面中央部に凹溝１７ａ、１７ｂを、全周に亙り形成している。この様な凹溝１７ａ、１７ｂを設けた上記各戸車１６ａ、１６ｂをそれぞれ１対ずつ支持した上記各下框７ａ、７ｂは、上記下部案内レール１４ａ、１４ｂと上記各凹溝１７ａ、１７ａとを係合させる事で、上記下枠４の上方位置に、この下枠４に沿った水平移動を自在に支持している。
以上の構成により、上記各ガラス障子２ａ、２ｂを上記窓枠１の内側に、水平移動自在に建て込んでいる。
【００２１】
又、図示の例では、上記下枠４の屋外側端部（図３、４の左端部）上面に形成した屋外端突条１８と、上記各下部案内レール１４ａ、１４ｂと、上記１対の凹部１５ａ、１５ｂ同士を仕切る中央突条１９との屋内側面（図３、４の右側面）に、それぞれブラケット２０ａ〜２０ｄを係止している。上記各下部案内レール１４ａ、１４ｂのうち、屋外側の下部案内レール１４ａの上半部は、上記各ブラケット２０ａ〜２０ｄのうちの、屋外側２本のブラケット２０ａ、２０ｂの上半部同士の間の中央部に存在する。そして、上記屋外側の戸車１６ａの一部は、これら屋外側２本のブラケット２０ａ、２０ｂの上半部同士の間に入り込んでいる。これに対して、屋内側の下部案内レール１４ｂの上半部は、屋内側２本のブラケット２０ｃ、２０ｄの上半部同士の間の中央部に存在する。そして、上記屋内側の戸車１６ｂの一部は、これら屋内側２本のブラケット２０ｃ、２０ｄの上半部同士の間に入り込んでいる。
【００２２】
又、上記中央突条１９の屋外側面（図３、４の左側面）と屋外側から２本目のブラケット２０ｂとの間、並びに、上記下枠４の屋内側端部（図３、４の右端部）上面に形成した屋内端突条２１と最も屋内側のブラケット２０ｄとの間には、それぞれ幅の狭いシール用凹溝２２ａ、２２ｂを形成している。そして、前記各下框７ａ、７ｂの屋内側壁２３ａ、２３ｂをこれら各シール用凹溝２２ａ、２２ｂ内に進入させている。更に、上記各突条１９、２１の上端部屋外側面に係止したシール部材２４ａ、２４ｂに設けたシールリップの先端縁を上記各屋内側壁２３ａ、２３ｂの下端部屋内側面に摺接させて、上記下枠４と上記各下框７ａ、７ｂとの間をシールしている。尚、前記上枠３と前記各上框６ａ、６ｂとの間のシール構造、前記各竪枠５ａ、５ｂと前記各突き合わせ框９ａ、９ｂとの間のシール構造、前記各召し合わせ框８ａ、８ｂ同士の間のシール構造に関しては、従来から広く知られている引違戸の場合と同様であるから、詳しい説明は省略する。
【００２３】
本発明を上述の様な引違戸に適用した本実施例の場合、図２を参照しつつ説明すると、次の(1) 〜(4) に示すカバー帯２５ａ〜２５ｄにより、前記各下部案内レール１４ａ、１４ｂを設置した凹部１５ａ、１５ｂの上端開口の４個所位置を、それぞれ覆う様にしている。
(1) 屋外側のガラス障子２ａの突き合わせ框９ａと下枠４の上面屋外側一端部（図２の左上部）との間に設け、このガラス障子２ａを解放方向（図２の右方向）に移動させた場合に、屋外側の凹部１５ａの片半部（図２の左半部）の上端開口を覆うカバー帯２５ａ。
(2) 屋外側のガラス障子２ａの召し合わせ框８ａと下枠４の上面屋外側他端部（図２の右上部）との間に設け、このガラス障子２ａを閉鎖方向（図２の左方向）に移動させた場合に、屋外側の凹部１５ａの他半部（図２の右半部）の上端開口を覆うカバー帯２５ｂ。
(3) 屋内側のガラス障子２ｂの突き合わせ框９ｂと下枠４の上面屋内側他端部（図２の右下部）との間に設け、このガラス障子２ｂを解放方向（図２の左方向）に移動させた場合に、屋内側の凹部１５ｂの片半部（図２の右半部）の上端開口を覆うカバー帯２５ｃ。
(4) 屋内側のガラス障子２ｂの召し合わせ框８ｂと下枠４の上面屋内側一端部（図２の左下部）との間に設け、このガラス障子２ｂを閉鎖方向（図２の右方向）に移動させた場合に、屋内側の凹部１５ｂの一半部（図２の左半部）の上端開口を覆うカバー帯２５ｄ。
【００２４】
この様なカバー帯２５ａ〜２５ｄは、それぞれ金属製の巻き尺を構成する金属板の如きステンレス鋼板、或は合成樹脂を一体押し出し成形する事により造られた長尺材等、可撓性及び押し付け力により移動可能な程度の剛性を有する弾性材製である。本実施例の場合には、上記各カバー帯２５ａ〜２５ｄとして、自由状態での断面形状が円弧形となるものを使用して、これら各カバー帯２５ａ〜２５ｄの肉厚を小さく抑えつつ、上記剛性の確保を図っている。尚、これら各カバー帯２５ａ〜２５ｄの湾曲方向は、上記各凹部１５ａ、１５ｂの上端開口を覆った状態で、それぞれの上面が凸曲面となる方向としている。この理由は、上記各カバー帯２５ａ〜２５ｄと前記各下部案内レール１４ａ、１４ｂの上端縁との干渉を防止しつつ、これら各下部案内レール１４ａ、１４ｂの高さ寸法を確保する為である。
【００２５】
この様な上記各カバー帯２５ａ〜２５ｄのうち、前記(1) のカバー帯２５ａは、その両端部を、図５〜７に示す様に、突き合わせ框９ａと下枠４の上面屋外側一端部とに結合している。このうち、この下枠４の上面屋外側一端部と上記カバー帯２５ａの一端部とは、図６に示す様に、係止ブラケット２６を介して結合している。即ち、この係止ブラケット２６を前記屋外側の凹部１５ａの一端部底面にねじ２７により固定した状態でこの係止ブラケット２６の上端部を、上記屋外側の凹部１５ａの一端部開口部分に位置させている。そして、上記(1) のカバー帯２５ａの一端部を上記係止ブラケット２６の上端部に、別のねじ２８と抑え板２９とにより結合固定している。
【００２６】
これに対して、上記(1) のカバー帯２５ａの他端部は、上記突き合わせ框９ａの下端部に支持固定した、第一のガイドブラケット３０の一部に結合固定している。即ち、この第一のガイドブラケット３０を上記突き合わせ框９ａの下端部に、ねじ３１により支持固定し、この第一のガイドブラケット３０の一部上面に上記(1) のカバー帯２５ａの他端部を、別のねじ３２により結合固定している。この状態でこのカバー帯２５ａの中間部は、倒立Ｕ字形に湾曲した状態で、上記突き合わせ框９ａの内部空間３３内に入り込んでいる。尚、上記カバー帯２５ａのうちでこの内部空間３３内に存在する部分は、簡略化の為、実際よりも短く描いている。又、上記カバー帯２５ａは、上記第一のガイドブラケット３０の下端部に、鉛直方向に対し傾斜した状態で形成したスリット状の通路３４を通じて、上記内部空間３３の下方に導出されている。この通路３４は、下方に向かう程上記係止ブラケット２６に近づく方向に傾斜している。又、図７に示す構造では、カバー帯２５ａの他端部を第一のガイドブラケット３０の一部側面に固定した場合を示している。
【００２７】
上述の様な上記(1) のカバー帯２５ａは、前記屋外側のガラス障子２ａの移動に伴い、上記屋外側の凹部１５ａの片半部の上端開口で、上記突き合わせ框９ａと上記下枠４の上面屋外側一端部との間に露出した部分を覆う。即ち、図５、６に示した、上記ガラス障子２ａを閉鎖方向に移動した状態から、このガラス障子２ａを解放方向に移動させると、上記第一のガイドブラケット３０が図５、６の右方に移動するのに伴って、上記(1) のカバー帯２５ａが上記通路３４を通じて、上記内部空間３３から引き出される。そしてこのカバー帯２５ａが、この通路３４と上記係止ブラケット２６の上端部との間に掛け渡された状態で、上記屋外側の凹部１５ａの片半部の上端開口で、上記突き合わせ框９ａと上記下枠４の上面屋外側一端部との間に露出した部分を覆う。この状態では、この下枠４の上面屋外寄り部分で、上記突き合わせ框９ａと前記竪枠５ａとの間部分の体裁を良好にし、且つ、この間部分で、上記屋外側の凹部１５ａ内に異物が落下する事を防止できる。
【００２８】
上記屋外側のガラス障子２ａを、解放位置から再び閉鎖位置に移動させれば、上記(1) のカバー帯２５ａが、上記係止ブラケット２６により上記第一のガイドブラケット３０に向けて押される様な状態となり、上記通路３４から上記内部空間３３内に押し込まれる。上記カバー帯２５ａは、金属製の巻き尺の如き性状で、押し付け方向に対し或る程度の剛性を有するので、上記屋外側のガラス障子２ａが解放位置から閉鎖位置に移動するのに伴って、上記内部空間３３内に確実に押し込まれる。この際、この内部空間３３内に存在する、上記カバー帯２５ａの中間部の湾曲部３５が、この内部空間３３の上方に移動する。この様に、この湾曲部３５を上方に移動させつつ、上記カバー帯２５ａを上記内部空間３３内に押し込む為に要する力は小さくて済む。従って、このカバー帯２５ａを設けても、上記屋外側のガラス障子２ａを解放位置に移動させる為に要する力は勿論、閉鎖位置に移動させる為に要する力も、特に大きくなる事はない。
【００２９】
次に、前記(2) のカバー帯２５ｂに就いて、図８〜１０を参照しつつ説明する。この(2) のカバー帯２５ｂは、その両端部を、召し合わせ框８ａの下端部外側面（図８、９の右側面）に固定した第二のガイドブラケット３６と、下枠４の上面屋外側他端部に固定したストッパブラケット３７とに結合している。上記召し合わせ框８ａの外側面下端寄り部分には上記(2) のカバー帯２５ｂを挿通する為の通孔を形成しており、上記第二のガイドブラケット３６は、この通孔を覆う状態で、ねじ３８ａ、３８ｂにより、上記召し合わせ框８ａに対し固定している。上記第二のガイドブラケット３６内には、下方に向かう程上記ストッパブラケット３７に近づく方向に傾斜した通路３９を形成しており、この通路３９の上端開口と上記通孔とを整合させている。
【００３０】
上記(2) のカバー帯２５ｂは、これら通路３９と通孔とを挿通した状態で設けられており、その中間部を上記召し合わせ框８ａの内部空間３３ａ内で、Ｕ字形に折り返している。そして、上記(2) のカバー帯２５ｂの一端を上記ストッパブラケット３７に結合固定すると共に、他端をねじ３８ｂにより上記召し合わせ框８ａ及び上記第二のガイドブラケット３６に結合固定している。即ち、上記ねじ３８ａは、上記(2) のカバー帯２５ｂの他端とこの第二のガイドブラケット３６との間で上記召し合わせ框８ａの一部を縫い合わせる様にして、この第二のガイドブラケット３６と上記(2) のカバー帯２５ｂの他端とを上記召し合わせ框８ａに対し固定している。
【００３１】
これに対して、上記(2) のカバー帯２５ｂの一端を結合固定する、上記ストッパブラケット３７は、前記屋外側の凹部１５ａの他端部底面にねじ４０により固定した状態でその上端部を、上記屋外側の凹部１５ａの他端部開口よりも上方に突出させている。そして、上記(2) のカバー帯２５ｂの一端を上記ストッパブラケット３７の上部に設けた庇部４１の下面に、別のねじ４２により結合固定している。尚、このストッパブラケット３７と上記第二のガイドブラケット３６とは、上記屋外側のガラス障子２ａを解放位置に移動させた場合に、上記召し合わせ框８ａと前記縦枠５ｂとが衝突するのを防止し、上記カバー帯２５ｂが過度に押し潰されない様にする機能を有する。
【００３２】
上述の様な上記(2) のカバー帯２５ｂは、前記屋外側のガラス障子２ａの移動に伴い、上記屋外側の凹部１５ａの他半部の上端開口で、上記召し合わせ框８ａと上記下枠４の上面屋外側他端部との間に露出した部分を覆う。即ち、図８、９に示した、上記ガラス障子２ａを閉鎖方向に移動した状態から、このガラス障子２ａを解放方向に移動させると、上記第二のガイドブラケット３６が図８、９の左方に移動するのに伴って、上記(2) のカバー帯２５ｂが前記通路３９を通じて、前記内部空間３３ａから引き出される。そしてこのカバー帯２５ｂが、この通路３９と上記ストッパブラケット３７の庇部４１との間に掛け渡された状態で、上記屋外側の凹部１５ａの他半部の上端開口で、上記召し合わせ框８ａと上記下枠４の上面屋外側他端部との間に露出した部分を覆う。この状態では、前記下枠４の上面屋外寄り部分で、上記召し合わせ框８ａと前記竪枠５ｂとの間部分の体裁を良好にし、且つ、この間部分で、上記屋外側の凹部１５ａ内に異物が落下する事を防止できる。
【００３３】
上記屋外側のガラス障子２ａを、解放位置から再び閉鎖位置に移動させれば、上記(2) のカバー帯２５ｂが、上記ストッパブラケット３７により上記第二のガイドブラケット３６に向けて押される様な状態となり、上記通路３９から上記内部空間３３ａ内に押し込まれる。上記カバー帯２５ｂがこの内部空間３３ａ内に確実に押し込まれる事、上記(2) のカバー帯２５ｂを設けても、上記屋外側のガラス障子２ａを移動させる為に要する力が特に大きくならない事は、前記(1) のカバー帯２５ａの場合と同様である。
前記(3) のカバー帯２５ｃの構造及び作用に就いては、前記(1) のカバー帯２５ａとほぼ同様であり、前記(4) のカバー帯２５ｄの構造及び作用に就いては、上記(2) のカバー帯２５ｂとほぼ同様であるから、詳しい図示並びに説明は省略する。
【実施例２】
【００３４】
図１１〜１７は、請求項１、２、４、５に対応する、本発明の実施例２を示している。本実施例に就いても、適用する引戸装置の構造は、上述した実施例１と同様、図１に示す様な引違戸であり、カバー帯２５ａ〜２５ｄの設置位置に関しても、前記(1) 〜(4) に示した４個所位置である。又、窓枠１ａ及び各ガラス障子２ａ、２ｂの基本構造に関しては、上記実施例１とほぼ同様である。但し、本実施例の場合には、各ガラス障子２ａ、２ｂの移動に伴って上記各カバー帯２５ａ〜２５ｄを各凹部１５ａ´、１５ｂ´の上端開口部に出し入れする構造が、上記実施例１とは異なる。これに伴って、上記窓枠１ａを構成する下枠４ａ及び左右の竪枠５ａ´、５ｂ´の構造が、上記実施例１とは異なる。
【００３５】
本実施例の場合も、上記各カバー帯２５ａ〜２５ｄを、可撓性及び押し付け力により移動可能な程度の剛性を有する弾性材製としている。そして、これら各カバー帯２５ａ〜２５ｄの一端を、上記各ガラス障子２ａ、２ｂの縦辺を構成する竪框、即ち、各召し合わせ框８ａ、８ｂ、各突き合わせ框９ａ、９ｂの下端部に結合して、これら各框８ａ、８ｂ、９ａ、９ｂと共に水平移動する様にしている。この為に例えば、図１６に示す様に、上記各カバー帯２５ａ〜２５ｄの一端部に係止孔４３を形成すると共に、上記各框８ａ、８ｂ、９ａ、９ｂの下端部外側面に係止ブラケット４４を固定する。そして、この係止ブラケット４４に垂下した係止ピン４５を上記係止孔４３に挿入する事により、上記各框８ａ、８ｂ、９ａ、９ｂの動きを上記各カバー帯２５ａ〜２５ｄの一端部に伝達自在とする。尚、上記各框８ａ、８ｂ、９ａ、９ｂに対する上記係止ブラケット４４の上下取付位置は、若干の調節自在として、上記各ガラス障子２ａ、２ｂの高さ調節に拘らず、上記係止ピン４５と上記係止孔４３とが確実に係合する様にする。
【００３６】
又、本実施例の場合には、下枠４ａの両端部のそれぞれ２個所位置ずつ、合計４個所位置に、それぞれ図１７に示す様なガイドブラケット４６ａ、４６ｂを設けている。これら各ガイドブラケット４６ａ、４６ｂ内には、上記各カバー帯２５ａ〜２５ｄの方向を９０度変更する為のガイド通路が設けられている。このガイド通路は、水平部と鉛直部とを四分の一円弧状の湾曲部により滑らかに連続させて成る。この様なガイド通路を有する上記各ガイドブラケット４６ａ、４６ｂは、それぞれ上記下枠４ａの両端部上面と前記各竪枠５ａ´、５ｂ´の下端部内側面との間に掛け渡している。この状態で、上記各ガイドブラケット４６ａ、４６ｂのガイド通路の水平部側開口端部は、前記各凹部１５ａ´、１５ｂ´の水平方向端上端部に、同じく鉛直部側開口部は前記各竪枠５ａ´、５ｂ´に設けた収納部４７ａ〜４７ｄの下端開口部に、それぞれ整合している。
【００３７】
尚、上記各ガイドブラケット４６ａ、４６ｂのうち、召し合わせ框８ａ、８ｂに対向するガイドブラケット４６ａは、この召し合わせ框８ａ、８ｂと竪枠５ａ´、５ｂ´とが衝突するのを防止するストッパとしての機能を備える為、上記下枠４ａの長さ方向の寸法を確保している。これに対して、突き合わせ框９ａ、９ｂに対向するガイドブラケット４６ｂは、この突き合わせ框９ａ、９ｂが上記竪枠５ａ´、５ｂ´に十分に近接できる様にする為、上記下枠４ａの長さ方向の寸法を小さくしている。内部に設けるガイド通路の形状に就いては、上記各ガイドブラケット４６ａ、４６ｂ同士の間で、基本的な差はない。
【００３８】
これら各収納部４７ａ〜４７ｄを設ける為に、上記各竪枠５ａ´、５ｂ´はそれぞれ、竪枠本体４８ａ、４８ｂの内側面に、内側ブラケット４９ａ、４９ｂを突き合わせ結合して成る。そして、これら各竪枠本体４８ａ、４８ｂの内側面とこれら各内側ブラケット４９ａ、４９ｂの外側面との間の隙間の一部を、上記各収納部４７ａ〜４７ｄとしている。尚、上記各内側ブラケット４９ａ、４９ｂは、上記各竪枠本体４８ａ、４８ｂの下端部には設けず、この下端部に、上記各ガイドブラケット４６ａ、４６ｂの一部を突き当てている。そして、上記各収納部４７ａ〜４７ｄの下端開口部と、これら各ガイドブラケット４６ａ、４６ｂのガイド通路の鉛直部側開口部とは、互いに突き合わせ、上記各収納部４７ａ〜４７ｄと上記ガイド通路とを連続させている。この構成により、これら各収納部４７ａ〜４７ｄとガイド通路との間で、上記各カバー帯２５ａ〜２５ｄを受け渡し自在としている。本実施例の場合には、上記各収納部４７ａ〜４７ｄのうちで、上記各内側ブラケット４９ａ、４９ｂ側の内面を、合成樹脂製のライナ部材５０、５０により覆って、上記各収納部４７ａ〜４７ｄ内での上記各カバー帯２５ａ〜２５ｄの移動に対する摩擦抵抗の低減を図っている。
【００３９】
又、本実施例の場合には、戸車１６ａ、１６ｂと各下框７ａ、７ｂの屋内側壁２３ａ、２３ｂの下端部とを、同じ凹部１５ａ´、１５ｂ´内に進入させている。そして、これら各凹部１５ａ´、１５ｂ´のうちで上記各下框７ａ、７ｂにより覆われない部分を、上記各カバー帯２５ａ〜２５ｄにより覆う様にしている。この為に本実施例の場合には、上記各凹部１５ａ´、１５ｂ´を仕切る１対の内側面の上端部開口寄り部分に、これら各凹部１５ａ´、１５ｂ´毎に１対ずつのガイド溝５１、５１を設けている。本実施例の場合、これら各ガイド溝５１、５１を、上記下枠４ａを構成するアルミニウム合金の押し出し型材製の部材に形成した係止溝に係止した、合成樹脂の押し出し型材製の第二のライナ部材５２、５２に形成している。上記各カバー帯２５ａ〜２５ｄが上記下枠４ａに沿って移動する際には、これら各カバー帯２５ａ〜２５ｄの両側縁が上記各ガイド溝５１、５１に案内される。そして、これら各ガイド溝５１、５１の水平方向端部と前記各ガイドブラケット４６ａ、４６ｂのガイド通路の水平部側開口部とは、互いに突き合わせ、上記各ガイド溝５１、５１と上記ガイド通路とを連続させている。この構成により、これら各ガイド溝５１、５１とガイド通路との間で、上記各カバー帯２５ａ〜２５ｄを受け渡し自在としている。尚、本実施例の場合には、上記各屋内側壁２３ａ、２３ｂを、上記各下框７ａ、７ｂの本体部分とは別体としている。
【００４０】
上述の様に構成する本実施例の場合、前記各ガラス障子２ａ、２ｂを移動させれば、当該ガラス障子２ａ、２ｂの召し合わせ框８ａ、８ｂ及び突き合わせ框９ａ、９ｂと前記各竪枠５ａ´、５ｂ´との間で上記各カバー帯２５ａ〜２５ｄの受け渡しが行なわれる。そして、上記各凹部１５ａ´、１５ｂ´の一部で、上記各ガラス障子２ａ、２ｂの下框７ａ、７ｂにより覆われない部分を、上記各カバー帯２５ａ〜２５ｄにより覆う。
【００４１】
特に、本実施例の場合には、前記各収納部４７ａ〜４７ｄから引き出されて上記各凹部１５ａ´、１５ｂ´の一部を覆った、上記各カバー帯２５ａ〜２５ｄの両側縁が、上記各ガイド溝５１、５１に係止された状態となる。この為、これら各カバー帯２５ａ〜２５ｄの両端縁が上記各凹部１５ａ´、１５ｂ´の開口縁部から浮き上がる事を確実に防止できる。この結果、これら各凹部１５ａ´、１５ｂ´内に細かい異物が入り込んだり、上記各カバー帯２５ａ〜２５ｄに何らかの物が引っ掛かる事を有効に防止できる。
【産業上の利用可能性】
【００４２】
図示の実施例は、本発明を引違戸に適用した場合に就いて説明した。これに対して本発明は、図示の様な引違戸に限らず、障子を水平方向に移動して開口部の開閉を行なう引戸装置であれば実施できる。例えば、１対の引戸障子を１本のレール上を移動（遠近動）させて開口部を開閉する構造の場合、請求項７に記載した様に、カバー帯の一端を一方の引戸障子の突き合わせ框の下端部に、他端を他方の引戸障子の下端部に、それぞれ固定し、１対の引戸障子の移動に伴って上記カバー帯の両端部同士が互いに近づき合う際に、このカバー帯の中間部を、撓ませつつ上記一方の突き合わせ框の内部空間内に入り込ませる構造を採用できる。
【００４３】
或は、請求項９に記載した様に、カバー帯の一端を一方の引戸障子の突き合わせ框に結合すると共に、このカバー帯の中間部を、他方の引戸障子の突き合わせ框に固定されたガイド部材の内部に設けられたガイド通路により案内して、移動方向を水平方向から垂直方向に９０度変更する。そして、垂直方向に移動する上記カバー帯の一部を、上記他方の突き合わせ框内に存在させる。
又、引戸障子の移動に伴ってその一部が露出する凹部を複数有する引戸装置であっても、必ずしも総ての凹部の上端開口をカバー帯で覆う必要はない。美観確保の点、異物落下防止の点で、必要とする凹部に関してのみカバー帯を設け、必要性の低い凹部にカバー帯を設けなくても良い。
【図面の簡単な説明】
【００４４】
【図１】本発明の実施例１を示す、引戸障子を屋内側から見た略正面図。
【図２】図１の拡大Ａ−Ａ断面図。
【図３】同拡大Ｂ−Ｂ断面図。
【図４】図３のＣ部拡大図。
【図５】係止ブラケットと第一のガイドブラケットとカバー帯との設置状況を示す、図２のＤ部に相当する図。
【図６】図５の下方から見た図。
【図７】同部分の分解略斜視図。
【図８】ストッパブラケットと第二のガイドブラケットとカバー帯との設置状況を示す、図２のＥ部に相当する図。
【図９】図８の下方から見た図。
【図１０】同部分の略斜視図。
【図１１】本発明の実施例２を示す、図２と同様の図。
【図１２】図１１のＦ部拡大図。
【図１３】同Ｇ部拡大図。
【図１４】本発明の実施例２を示す、図３と同様の図。
【図１５】図１４のＨ部拡大図。
【図１６】竪框の下端部とカバー帯の端部との結合部の略分解斜視図。
【図１７】ガイドブラケット設置部の略斜視図。
【符号の説明】
【００４５】
１、１ａ  窓枠
２ａ、２ｂ  ガラス障子
３    上枠
４、４ａ  下枠
５ａ、５ｂ、５ａ´、５ｂ´  竪枠
６ａ、６ｂ  上框
７ａ、７ｂ  下框
８ａ、８ｂ  召し合わせ框
９ａ、９ｂ  突き合わせ框
１０ａ、１０ｂ  ガラスパネル
１１ａ、１１ｂ  上部案内レール
１２ａ、１２ｂ  ガイドブロック
１３ａ、１３ｂ  ガイド溝
１４ａ、１４ｂ  下部案内レール
１５ａ、１５ｂ、１５ａ´、１５ｂ´  凹部
１６ａ、１６ｂ  戸車
１７ａ、１７ｂ  凹溝
１８    屋外端突条
１９    中央突条
２０ａ、２０ｂ、２０ｃ、２０ｄ  ブラケット
２１    屋内端突条
２２ａ、２２ｂ  シール用凹溝
２３ａ、２３ｂ  屋内側壁
２４ａ、２４ｂ  シール部材
２５ａ、２５ｂ、２５ｃ、２５ｄ  カバー帯
２６    係止ブラケット
２７    ねじ
２８    ねじ
２９    抑え板
３０    第一のガイドブラケット
３１    ねじ
３２    ねじ
３３、３３ａ  内部空間
３４    通路
３５    湾曲部
３６    第二のガイドブラケット
３７    ストッパブラケット
３８ａ、３８ｂ  ねじ
３９    通路
４０    ねじ
４１    庇部
４２    ねじ
４３    係止孔
４４    係止ブラケット
４５    係止ピン
４６ａ、４６ｂ  ガイドブラケット
４７ａ、４７ｂ、４７ｃ、４７ｄ  収納部
４８ａ、４８ｂ  竪枠本体
４９ａ、４９ｂ  内側ブラケット
５０    ライナ部材
５１    ガイド溝
５２    第二のライナ部材
【図１】
2005113556.tif 000003
【図２】
2005113556.tif 000004
【図３】
2005113556.tif 000005
【図４】
2005113556.tif 000006
【図５】
2005113556.tif 000007
【図６】
2005113556.tif 000008
【図７】
2005113556.tif 000009
【図８】
2005113556.tif 000010
【図９】
2005113556.tif 000011
【図１０】
2005113556.tif 000012
【図１１】
2005113556.tif 000013
【図１２】
2005113556.tif 000014
【図１３】
2005113556.tif 000015
【図１４】
2005113556.tif 000016
【図１５】
2005113556.tif 000017
【図１６】
2005113556.tif 000018
【図１７】
2005113556.tif 000019